(57)【要約】【課題】病室を不要とでき、看護師の負担を軽減できるベッド管理システムを提供する。【解決手段】ベッド１は、走行部１１と位置情報測定部と生体情報検知部とベッド側送信部とを有し、管理装置２は、管理部と管理側受信部とを有する。位置情報測定部は、ベッド本体１０の位置情報を測定し、生体情報検知部は、ベッド本体１０に載置される患者Ｐの生体情報を検知する。ベッド側送信部は、位置情報測定部により測定された位置情報、および、生体情報検知部により検知された生体情報を送信する。管理側受信部は、ベッド側送信部から送信された位置情報および生体情報を受信し、管理部は、管理側受信部により受信された位置情報および生体情報を管理する。【選択図】図１
2017118903.tif 000002
【特許請求の範囲】
【請求項１】
少なくとも一つのベッドと、
上記ベッドを管理する管理装置と
を備え、
上記ベッドは、
ベッド本体と、
上記ベッド本体を走行可能とする走行部と、
上記ベッド本体の位置情報を測定する位置情報測定部と、
上記ベッド本体に載置される人体の生体情報を検知する生体情報検知部と、
上記位置情報測定部により測定された上記位置情報、および、上記生体情報検知部により検知された上記生体情報を送信するベッド側送信部と
を有し、
上記管理装置は、
上記ベッド側送信部から送信された上記位置情報および上記生体情報を受信する管理側受信部と、
上記管理側受信部により受信された上記位置情報および上記生体情報を管理する管理部と
を有することを特徴とするベッド管理システム。
【請求項２】
請求項１に記載のベッド管理システムにおいて、
上記ベッドは、上記走行部を駆動する駆動部を有することを特徴とするベッド管理システム。
【請求項３】
請求項２に記載のベッド管理システムにおいて、
上記ベッドは、上記走行部および上記駆動部を制御して、上記ベッド本体の走行を操作する操作部を有することを特徴とするベッド管理システム。
【請求項４】
請求項１から３の何れか一つに記載のベッド管理システムにおいて、
上記管理装置は、上記管理部からの特定情報を送信する管理側送信部を有し、
上記ベッドは、上記管理側送信部から送信された上記特定情報を受信するベッド側受信部を有することを特徴とするベッド管理システム。
【請求項５】
請求項１から４の何れか一つに記載のベッド管理システムにおいて、
上記ベッド本体は、
人体を載置する台部と、
上記台部とともに人体をカプセル状に覆う蓋部と
を有することを特徴とするベッド管理システム。
【発明の詳細な説明】
【技術分野】
【０００１】
この発明は、ベッド管理システムに関する。
【背景技術】
【０００２】
従来、ベッド管理システムとしては、特開平７−１４６８８９号公報（特許文献１）に記載されたものがある。このベッド管理システムは、ベッドと、ベッドに取り付けられたＬＡＮカードと、ＬＡＮカードに接続されたサーバと、モービル型端末とを備えている。
【０００３】
そして、看護師は、モービル型端末を、ベッドに取り付けられたＬＡＮカードに接続すると、モービル型端末は、サーバに対して、このベッドに居る患者のデータの転送を、要求する。
【０００４】
サーバは、要求のあったモービル型端末に接続されている識別コードを検出し、識別コードから対象となる患者を検索する。検索終了後、この患者に関する情報は、モービル型端末に転送され、モービル型端末に表示される。モービル型端末に表示される内容は、例えば、患者の基本情報（例えば、アレルギー情報、生年月日、血液型等)や、前回行なった検査結果等である。
【先行技術文献】
【特許文献】
【０００５】
【特許文献１】特開平７−１４６８８９号公報
【発明の概要】
【発明が解決しようとする課題】
【０００６】
ところで、上記従来のベッド管理システムでは、ベッドに居る患者の基本情報や前回の検査結果を、端末で入手することができるが、患者の現在の生体情報（例えば、心拍、酸素飽和度、血圧、呼吸、体温など）を入手するには、看護師は、その患者の居る病室に行って、この患者の生体情報を直接的に検知する必要があった。このように、患者の居場所を特定するために、病室は、必要なものであった。また、看護師は、生体情報を直接的に検知する必要があり、看護師は、負担を要していた。
【０００７】
そこで、この発明の課題は、病室を不要とでき、看護師の負担を軽減できるベッド管理システムを提供することにある。
【課題を解決するための手段】
【０００８】
上記課題を解決するため、この発明のベッド管理システムは、
少なくとも一つのベッドと、
上記ベッドを管理する管理装置と
を備え、
上記ベッドは、
ベッド本体と、
上記ベッド本体を走行可能とする走行部と、
上記ベッド本体の位置情報を測定する位置情報測定部と、
上記ベッド本体に載置される人体の生体情報を検知する生体情報検知部と、
上記位置情報測定部により測定された上記位置情報、および、上記生体情報検知部により検知された上記生体情報を送信するベッド側送信部と
を有し、
上記管理装置は、
上記ベッド側送信部から送信された上記位置情報および上記生体情報を受信する管理側受信部と、
上記管理側受信部により受信された上記位置情報および上記生体情報を管理する管理部と
を有することを特徴としている。
【０００９】
この発明のベッド管理システムによれば、上記ベッドは、走行部と位置情報測定部と生体情報検知部とベッド側送信部とを有し、上記管理装置は、管理部と管理側受信部とを有する。位置情報測定部は、ベッド本体の位置情報を測定し、生体情報検知部は、ベッド本体に載置される人体の生体情報を検知する。ベッド側送信部は、位置情報測定部により測定された位置情報、および、生体情報検知部により検知された生体情報を送信する。管理側受信部は、ベッド側送信部から送信された位置情報および生体情報を受信し、管理部は、管理側受信部により受信された位置情報および生体情報を管理する。これにより、ベッドに載置している患者が、ベッドごと移動しても、看護師は、この患者の位置情報および生体情報を、管理装置により管理することができる。
【００１０】
したがって、患者の居場所を特定するために必要としていた病室を、不要とでき、これにより、例えば、病室を区画していた仕切壁をなくして、使用空間を増大できると共に、開放的な空間を実現できる。また、看護師がその患者の生体情報を直接的に検知する必要がなくなり、看護師の負担を軽減できる。
【００１１】
また、一実施形態のベッド管理システムでは、上記ベッドは、上記走行部を駆動する駆動部を有する。
【００１２】
この実施形態のベッド管理システムによれば、上記ベッドは、走行部を駆動する駆動部を有するので、ベッドは、駆動部で走行する。したがって、ベッドを自動で走行させることができる。
【００１３】
また、一実施形態のベッド管理システムでは、上記ベッドは、上記走行部および上記駆動部を制御して、上記ベッド本体の走行を操作する操作部を有する。
【００１４】
この実施形態のベッド管理システムによれば、上記ベッドは、ベッド本体の走行を操作する操作部を有するので、操作部で、ベッドを操作できる。したがって、患者は、自ら、ベッドを操作して、所望の場所に移動できる。
【００１５】
また、一実施形態のベッド管理システムでは、
上記管理装置は、上記管理部からの特定情報を送信する管理側送信部を有し、
上記ベッドは、上記管理側送信部から送信された上記特定情報を受信するベッド側受信部を有する。
【００１６】
この実施形態のベッド管理システムによれば、上記管理装置は、管理側送信部を有し、上記ベッドは、ベッド側受信部を有するので、ベッドは、管理装置からの特定情報を受け取ることができる。したがって、患者は、ベッドに居ながら、看護師から特定情報を受け取ることができる。
【００１７】
また、一実施形態のベッド管理システムでは、
上記ベッド本体は、
人体を載置する台部と、
上記台部とともに人体をカプセル状に覆う蓋部と
を有する。
【００１８】
この実施形態のベッド管理システムによれば、上記ベッド本体は、台部と蓋部とを有するので、ベッドは、人体をカプセル状に覆うことができる。したがって、ベッド自体に個室空間を形成でき、病室をなくしても、患者のプライバシーを守ることができる。
【発明の効果】
【００１９】
この発明のベッド管理システムによれば、上記ベッドは、走行部と位置情報測定部と生体情報検知部とベッド側送信部とを有し、上記管理装置は、管理部と管理側受信部とを有する。位置情報測定部は、ベッド本体の位置情報を測定し、生体情報検知部は、ベッド本体に載置される人体の生体情報を検知する。ベッド側送信部は、位置情報測定部により測定された位置情報、および、生体情報検知部により検知された生体情報を送信する。管理側受信部は、ベッド側送信部から送信された位置情報および生体情報を受信し、管理部は、管理側受信部により受信された位置情報および生体情報を管理する。これにより、病室を不要とでき、看護師の負担を軽減できる。
【図面の簡単な説明】
【００２０】
【図１】本発明の一実施形態のベッド管理システムを示す概念図である。
【図２】ベッドの簡略構成図である。
【図３】管理装置の簡略構成図である。
【発明を実施するための形態】
【００２１】
以下、この発明を図示の実施の形態により詳細に説明する。
【００２２】
図１は、この発明の一実施形態のベッド管理システムを示す概念図である。図１に示すように、このベッド管理システムは、複数のベッド１と、上記ベッド１を管理する管理装置２とを備える。このベッド管理システムは、病院内で使用される。ベッド１には、患者Ｐが横たわり、管理装置２は、看護師Ｎにより、管理されている。
【００２３】
上記ベッド１は、ベッド本体１０を有する。ベッド本体１０は、台部１０ａと蓋部１０ｂとを有する。台部１０ａは、患者Ｐ（人体）を載置する。蓋部１０ｂは、台部１０ａに開閉自在に取り付けられ、台部１０ａとともに患者Ｐをカプセル状に覆う。蓋部１０ｂは、例えば、透明な材質により、形成される。蓋部１０ｂには、有機ＥＬなどの表示部１０ｃを設けている。表示部１０ｃには、例えば、種々の情報やテレビなどの映像が、表示される。
【００２４】
図２は、上記ベッド１の簡略構成図である。図１と図２に示すように、上記ベッド１は、走行部１１と駆動部１２と操作部１３と位置情報測定部１４と生体情報検知部１５とベッド側送信部１６とベッド側受信部１７とを有する。走行部１１、駆動部１２、操作部１３、位置情報測定部１４、生体情報検知部１５、ベッド側送信部１６およびベッド側受信部１７は、ベッド本体１０に取り付けられている。
【００２５】
上記走行部１１は、ベッド本体１０を走行可能とする。走行部１１は、例えば、車輪である。上記駆動部１２は、走行部１１を駆動する。駆動部１２は、例えば、モータである。
【００２６】
上記操作部１３は、走行部１１および駆動部１２を制御して、ベッド本体１０の走行を操作する。操作部１３は、例えば、ハンドルである。具体的に述べると、操作部１３は、ベッド本体１０の走行の向きや走行のスピードを調整する。
【００２７】
上記位置情報測定部１４は、ベッド本体１０の位置情報を測定する。位置情報測定部１４は、例えば、ＧＰＳ（Global Positioning System：全地球測位システム）である。
【００２８】
上記生体情報検知部１５は、ベッド本体１０に載置される患者Ｐの生体情報を検知する。生体情報検知部１５は、例えば、バイタルセンサであり、生体情報は、例えば、心拍、酸素飽和度、血圧、呼吸、体温などである。
【００２９】
上記ベッド側送信部１６は、位置情報測定部１４により測定された位置情報、および、生体情報検知部１５により検知された生体情報を送信する。ベッド側送信部１６の送信手段は、例えば、無線である。
【００３０】
上記ベッド側受信部１７は、管理装置２（後述の管理側送信部２２）から送信された特定情報を受信する。ベッド側受信部１７の受信手段は、例えば、無線である。
【００３１】
図３は、上記管理装置２の簡略構成図である。図３に示すように、上記管理装置２は、管理部２０と管理側受信部２１と管理側送信部２２とを有する。
【００３２】
上記管理側受信部２１は、ベッド側送信部１６（図２参照）から送信された位置情報および生体情報を受信する。管理側受信部２１の受信手段は、例えば、無線である。
【００３３】
上記管理部２０は、管理側受信部２１により受信された位置情報および生体情報を管理する。管理部２０は、例えば、コンピュータであり、位置情報および生体情報を、メモリに記憶したり、ディスプレイに表示する。
【００３４】
上記管理側送信部２２は、管理部２０からの特定情報を、ベッド側受信部１７（図２参照）に送信する。管理側送信部２２の送信手段は、例えば、無線である。この特定情報は、例えば、患者Ｐの生体情報や、看護師Ｎからの連絡情報などである。この特定情報は、ベッド１の蓋部１０ｂの表示部１０ｃ（図１参照）に表示される。
【００３５】
上記構成のベッド管理システムの作用について説明する。
【００３６】
図１と図２と図３に示すように、患者Ｐは、ベッド１に横になりながら、自ら操作部１３を操作して、所望の場所（例えば、トイレや、家族との面会場所や、眺望可能な場所など）に移動する。このとき、ベッド１の位置情報は、位置情報測定部１４により、測定され、患者Ｐの生体情報は、生体情報検知部１５により、検知され、患者Ｐの位置および生体情報が、ベッド側送信部１６により、管理装置２の管理側受信部２１に送信される。看護師Ｎは、管理装置２の管理部２０をモニタリングすることで、患者Ｐの位置および生体情報を管理することができる。
【００３７】
また、看護師Ｎは、患者Ｐの生体情報や連絡情報などの特定情報を、管理側送信部２２により、患者Ｐに送信することができる。患者Ｐは、この特定情報を、ベッド側受信部１７により、受信して、この特定情報を、ベッド１の蓋部１０ｂの表示部１０ｃにより、確認することができる。
【００３８】
上記構成のベッド管理システムによれば、上記ベッド１は、走行部１１と位置情報測定部１４と生体情報検知部１５とベッド側送信部１６とを有し、上記管理装置２は、管理部２０と管理側受信部２１とを有する。位置情報測定部１４は、ベッド本体１０の位置情報を測定し、生体情報検知部１５は、ベッド本体１０に載置される患者Ｐの生体情報を検知する。ベッド側送信部１６は、位置情報測定部１４により測定された位置情報、および、生体情報検知部１５により検知された生体情報を送信する。管理側受信部２１は、ベッド側送信部１６から送信された位置情報および生体情報を受信し、管理部２０は、管理側受信部２１により受信された位置情報および生体情報を管理する。これにより、ベッド１に載置している患者Ｐが、ベッド１ごと移動しても、看護師Ｎは、この患者Ｐの位置情報および生体情報を、管理装置２により管理することができる。
【００３９】
したがって、患者Ｐの居場所を特定するために必要としていた病室を、不要とでき、これにより、例えば、病室を区画していた仕切壁をなくして、使用空間を増大できると共に、開放的な空間を実現できる。また、看護師Ｎがその患者Ｐの生体情報を直接的に検知する必要がなくなり、看護師Ｎの負担を軽減できる。
【００４０】
また、上記構成のベッド管理システムによれば、上記ベッド１は、走行部１１を駆動する駆動部１２を有するので、ベッド１は、駆動部１２で走行する。したがって、ベッド１を自動で走行させることができる。
【００４１】
また、上記構成のベッド管理システムによれば、上記ベッド１は、ベッド本体１０の走行を操作する操作部１３を有するので、操作部１３で、ベッド１を操作できる。したがって、患者Ｐは、自ら、ベッド１を操作して、所望の場所に移動できる。
【００４２】
また、上記構成のベッド管理システムによれば、上記管理装置２は、管理側送信部２２を有し、上記ベッド１は、ベッド側受信部１７を有するので、ベッド１は、管理装置２からの特定情報を受け取ることができる。したがって、患者Ｐは、ベッド１に居ながら、看護師Ｎから特定情報を受け取ることができる。
【００４３】
また、上記構成のベッド管理システムによれば、上記ベッド本体１０は、台部１０ａと蓋部１０ｂとを有するので、ベッド１は、患者Ｐをカプセル状に覆うことができる。したがって、ベッド１自体に個室空間を形成でき、病室をなくしても、患者Ｐのプライバシーを守ることができる。
【００４４】
なお、この発明は上述の実施形態に限定されず、本発明の要旨を逸脱しない範囲で設計変更可能である。
【００４５】
上記実施形態では、複数のベッドを有したが、少なくとも一つのベッドを有するようにしてもよい。
【００４６】
上記実施形態では、走行部を、車輪としたが、無限軌道などとしてもよい。
【００４７】
上記実施形態では、ベッド側送信部および管理側送信部の送信手段と、ベッド側受信部および管理側受信部の受信手段とを、無線としたが、これらの少なくとも一つを、有線としてもよい。
【００４８】
上記実施形態では、ベッドに駆動部を設けたが、ベッドに駆動部を設けないで、看護師などの人力により、ベッドを走行させるようにしてもよい。
【００４９】
上記実施形態では、ベッドに操作部を設けたが、ベッドに操作部を設けないで、看護師などの外部からの遠隔操作により、ベッドを走行させるようにしてもよい。
【００５０】
上記実施形態では、管理側送信部およびベッド側受信部を設けて、ベッドと管理装置の双方向の送受信を可能としたが、管理側送信部およびベッド側受信部を設けないで、ベッドから管理装置への一方向の送受信のみとしてもよい。
【００５１】
上記実施形態では、ベッドに蓋部を設けてカプセル状としたが、ベッドに蓋部を設けないで、単なるベッドとしてもよい。
【符号の説明】
【００５２】
１  ベッド
２  管理装置
１０  ベッド本体
１０ａ  台部
１０ｂ  蓋部
１０ｃ  表示部
１１  走行部
１２  駆動部
１３  操作部
１４  位置情報測定部
１５  生体情報検知部
１６  ベッド側送信部
１７  ベッド側受信部
２０  管理部
２１  管理側受信部
２２  管理側送信部
Ｎ  看護師
Ｐ  患者（人体）
【図１】
2017118903.tif 000003
【図２】
2017118903.tif 000004
【図３】
2017118903.tif 000005